(57)【特許請求の範囲】
【請求項１】
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記ベース体は、側面視略三角形状を呈しており、前記支持部材は前記ベース体の前面部に沿わせて配置されることを特徴とするカレンダー。
【請求項２】
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記ベース体には、前記支持部材の他端部が係止される係止孔が異なる高さ位置に複数形成されていることを特徴とするカレンダー。
【請求項３】
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記ベース体には、複数の孔が形成されている表紙が前記複数のカレンダー用紙とともに綴じられており、
前記支持部材は、前記表紙から切り出して使用されることを特徴とするカレンダー。
【請求項４】
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記複数のカレンダー用紙の他辺側には、前記複数のカレンダー用紙を連通する位置に壁掛け用の穴が形成されていることを特徴とするカレンダー。
【請求項５】
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記ベース体は、その厚さを薄くするように折り畳み可能とされていることを特徴とするカレンダー。
【発明の詳細な説明】
【技術分野】
【０００１】
本発明は、複数枚のカレンダー用紙が綴じ具で綴じられているカレンダーに関する。
【背景技術】
【０００２】
従来、複数枚の暦カードを重ね合わせて収納し、卓上に載置されるカードケースを有する卓上カレンダーが知られている（例えば、特許文献１参照。）。
この卓上カレンダーは、カードケース内に収納された複数枚の暦カードのうち、最前面に位置する暦カードをカードケースの正面から視認可能にしており、そのカードケースの背面上部に設けられた突片部に他の暦カードを挿し込むことによって、２枚の暦カードを上下に配置させて２か月分の暦を同時に閲覧することを可能にしている。
【先行技術文献】
【特許文献】
【０００３】
【特許文献１】実用新案登録第３１４７４０５号公報
【発明の概要】
【発明が解決しようとする課題】
【０００４】
しかしながら、上記特許文献１の卓上カレンダーの場合、カードケースの背面上部の突片部に挿し込まれた暦カードの下端側はカレンダーケースに隠れてしまうので、その暦カードの全面を表示面として使用できないという問題があった。
【０００５】
本発明の目的は、２枚のカレンダー用紙の全面を同時に閲覧可能にするカレンダーを提供することである。
【課題を解決するための手段】
【０００８】
請求項１に記載の発明は、
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記ベース体は、側面視略三角形状を呈しており、前記支持部材は前記ベース体の前面部に沿わせて配置されることを特徴とする。
【０００９】
請求項１に記載の発明によれば、複数枚のカレンダー用紙が綴じ具によって回動可能に綴じられているので、２枚のカレンダー用紙を上下に並べて配置させた際、その２枚のカレンダー用紙が重なることはない。
つまり、カレンダー用紙の外縁側の余白部分に記されている文字や装飾柄が隠れてしまうことはなく、その２枚のカレンダー用紙の全面を同時に閲覧することができる。
特に、支持部材が側面視略三角形状を呈するベース体の前面部に沿わせて配置されるようにしたことで、ベース体の前面部の傾斜角度と、支持部材の傾斜角度を略同じ角度にすることができ、２枚のカレンダー用紙をほぼ同一面上に並べて配置させることができる。
【００１０】
請求項２に記載の発明は、
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記ベース体には、前記支持部材の他端部が係止される係止孔が異なる高さ位置に複数形成されていることを特徴とする。
【００１１】
請求項２に記載の発明によれば、複数枚のカレンダー用紙が綴じ具によって回動可能に綴じられているので、２枚のカレンダー用紙を上下に並べて配置させた際、その２枚のカレンダー用紙が重なることはない。
つまり、カレンダー用紙の外縁側の余白部分に記されている文字や装飾柄が隠れてしまうことはなく、その２枚のカレンダー用紙の全面を同時に閲覧することができる。
特に、支持部材の他端部が係止される係止孔が、ベース体の異なる高さ位置に複数形成されていることで、ベース体の挿入孔から突き出す支持部材の長さを調整することができる。
【００１２】
請求項３に記載の発明は、
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記ベース体には、複数の孔が形成されている表紙が前記複数のカレンダー用紙とともに綴じられており、
前記支持部材は、前記表紙から切り出して使用されることを特徴とする。
【００１３】
請求項３に記載の発明によれば、複数枚のカレンダー用紙が綴じ具によって回動可能に綴じられているので、２枚のカレンダー用紙を上下に並べて配置させた際、その２枚のカレンダー用紙が重なることはない。
つまり、カレンダー用紙の外縁側の余白部分に記されている文字や装飾柄が隠れてしまうことはなく、その２枚のカレンダー用紙の全面を同時に閲覧することができる。
特に、カレンダー用紙とともに綴じられている表紙から支持部材を切り出して使用するようにしたことで、支持部材をカレンダーと一体にしてユーザーに提供することができる。
【００１４】
請求項４に記載の発明は、
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記複数のカレンダー用紙の他辺側には、前記複数のカレンダー用紙を連通する位置に壁掛け用の穴が形成されていることを特徴とする。
【００１５】
請求項４に記載の発明によれば、複数枚のカレンダー用紙が綴じ具によって回動可能に綴じられているので、２枚のカレンダー用紙を上下に並べて配置させた際、その２枚のカレンダー用紙が重なることはない。
つまり、カレンダー用紙の外縁側の余白部分に記されている文字や装飾柄が隠れてしまうことはなく、その２枚のカレンダー用紙の全面を同時に閲覧することができる。
特に、複数のカレンダー用紙の他辺側に、複数のカレンダー用紙を連通する位置に壁掛け用の穴が形成されていることで、ベース体を卓上などに載置して使用することに限らず、このカレンダーを壁掛け用にして使用することもできる。
【００１６】
請求項５に記載の発明は、
上縁側に複数の孔が形成されているベース体と、一辺側に複数の孔が形成されている複数枚のカレンダー用紙とが、それぞれの孔を貫く綴じ具によって綴じられ、前記カレンダー用紙が回動可能とされているカレンダーであって、
前記ベース体に形成されている挿入孔から挿入して所定位置に設置した際、前記挿入孔からその一端部が突き出る支持部材を備え、
前記ベース体の前面側にある前記カレンダー用紙の少なくとも１枚を回動させて、前記支持部材に立て掛けることで、２枚のカレンダー用紙が上下に並べて配置されるように構成されており、
前記ベース体は、その厚さを薄くするように折り畳み可能とされていることを特徴とする。
【００１７】
請求項５に記載の発明によれば、複数枚のカレンダー用紙が綴じ具によって回動可能に綴じられているので、２枚のカレンダー用紙を上下に並べて配置させた際、その２枚のカレンダー用紙が重なることはない。
つまり、カレンダー用紙の外縁側の余白部分に記されている文字や装飾柄が隠れてしまうことはなく、その２枚のカレンダー用紙の全面を同時に閲覧することができる。
特に、ベース体を薄く折り畳むことができるので、収納時のスペースを占有しないようにすることができる。
また、このカレンダーを壁掛け用にして使用する際にベース体を薄く折り畳めば、カレンダーを好適に壁面に吊るすことができる。
【発明の効果】
【００１８】
本発明によれば、２枚のカレンダー用紙の全面を同時に閲覧可能にすることができる。
【図面の簡単な説明】
【００１９】
【図１】本実施形態のカレンダーを示す斜視図である。
【図２】本実施形態のカレンダーを示す斜視図（ａ）（ｂ）である。
【図３】２枚のカレンダー用紙を上下に配置させて、２か月分の暦を同時に閲覧可能にしたカレンダーの斜視図である。
【図４】２枚のカレンダー用紙を上下に配置させて、ひと月のカレンダーを上旬と下旬に分けて同時に閲覧可能したカレンダーの斜視図である。
【図５】２枚のカレンダー用紙を上下に配置させて、絵画や写真などとカレンダーを同時に閲覧可能したカレンダーの斜視図である。
【図６】本実施形態のカレンダーを示す斜視図である。
【図７】本実施形態のカレンダーを壁掛け用として使用する状態を示す斜視図である。
【発明を実施するための形態】
【００２０】
以下、図面を参照して、本発明に係るカレンダーの実施形態について詳細に説明する。但し、以下に述べる実施形態には、本発明を実施するために技術的に好ましい種々の限定が付されているが、本発明の範囲を以下の実施形態及び図示例に限定するものではない。
【００２１】
図１、図２（ａ）（ｂ）は、本実施形態のカレンダー１００を示す斜視図である。
カレンダー１００は、図１、図２（ａ）（ｂ）に示すように、上縁側に複数の孔Ｈが形成されているベース体１０と、一辺側に複数の孔Ｈが形成されている複数枚のカレンダー用紙２０とを備え、そのベース体１０と複数枚のカレンダー用紙２０がそれぞれの孔Ｈを貫く綴じ具３０によって綴じられている。
また、カレンダー１００は、ベース体１０に形成されている挿入孔１１に挿入し、所定位置に設置して使用する支持部材４０を備えている。
【００２２】
更に、図２（ａ）に示すように、ベース体１０には、複数の孔Ｈが形成されている表紙２５が複数のカレンダー用紙２０とともに綴じ具３０によって綴じられている。この表紙２５は、硬質紙（厚台紙）または薄い樹脂板からなる。
例えば支持部材４０は、この表紙２５からミシン目に沿って切り出して使用するようになっている。
【００２３】
ベース体１０は、例えば、側面視略三角形状を呈するように、硬質紙（厚台紙）を折り曲げて形成した部材である。このベース体１０は、前面部１２と背面部１３と底面部１４の三面を有している。
具体的に、ベース体１０の上縁となる前面部１２と背面部１３の境で硬質紙が山折りされており、底面部１４で硬質紙が二重になるように形成されている。なお、底面部１４において硬質紙の一部が接着されている。
また、底面部１４における外側の硬質紙のほぼ中央には折り目Ｌが形成されており、収納時などにベース体１０の厚さを薄くするように折り畳み可能となっている。
なお、ベース体１０は紙製であることに限らず、薄い樹脂板を折り曲げて形成したものでもよい。
【００２４】
ベース体１０の上縁であって前面部１２と背面部１３の境界部分にスリット状の挿入孔１１が形成されている。
また、ベース体１０の前面部１２には、異なる高さ位置に複数（本実施形態では２つ）の係止孔１２ａが形成されている。
このベース体１０に設けられている挿入孔１１と係止孔１２ａは、支持部材４０を取り付けるために形成されている。
【００２５】
カレンダー用紙２０は、例えば、両面印刷されてなる上質紙であり、少なくとも一方の面に暦の情報が表示されている。
複数枚のカレンダー用紙２０はリング状の綴じ具３０によってベース体１０に綴じられており、そのカレンダー用紙２０が１枚ずつ回動されて、ベース体１０の前面部１２側から背面部１３側へ移動可能になっている。
【００２６】
綴じ具３０は、例えば、金属材料、樹脂材料あるいは紙材料からなり、ベース体１０に複数枚のカレンダー用紙２０を回動可能に保持している。
この綴じ具３０は、複数のリング部材からなるものであっても、複数のリング部がコイル状に一体に形成された部材であってもよい。
本実施形態のカレンダー１００では、ベース体１０の上縁側に４つの孔Ｈが２組形成されており、そのベース体１０の孔Ｈに対応するように、複数枚のカレンダー用紙２０の一辺側に４つの孔Ｈが２組形成されている。
そして、４つのリング部がコイル状に一体に形成されている２つの綴じ具３０によって、複数枚のカレンダー用紙２０がベース体１０に回動可能に綴じられている。
【００２７】
支持部材４０は、ベース体１０の上縁に形成されている挿入孔１１から挿入してベース体１０の前面部１２に沿わせて設置し、支持部材４０の一端部４０ａが挿入孔１１から突き出た状態で使用する。このとき、支持部材４０の他端部４０ｂを前面部１２の係止孔１２ａに挿し込んで、ベース体１０に係止させる。
こうして支持部材４０をベース体１０の前面部１２に沿わせて設置することで、ベース体１０の前面部１２の傾斜角度と、支持部材４０の傾斜角度を合わせることができる。
【００２８】
また、支持部材４０の一端部４０ａ側に、所望するマークＭを印刷などによって付しておくことが好ましい。こうすれば、図１に示すように、支持部材４０をベース体１０に設置することで、そのマークＭをカレンダー１００に掲げることができる。なお、マークＭとしては、このカレンダー１００を宣伝用に製作した企業のロゴマークや、カレンダー１００に趣向性を付与するためのキャラクターのイラストなど任意の図柄でよく、また文字からなるものでよい。
また、図２（ａ）に示すように、支持部材４０の縁に目盛りを付しておけば、支持部材４０を定規として使用することもできる。
【００２９】
次に、本実施形態のカレンダー１００を使用する態様について説明する。
【００３０】
まず、図２（ａ）に示すように、表紙２５から支持部材４０を切り出す。
次いで、支持部材４０を切り出した後の表紙２５を回動させ、ベース体１０の背面部１３側へ移動させる。
次いで、図２（ｂ）に示すように、支持部材４０をベース体１０の挿入孔１１から挿入し、その他端部４０ｂを前面部１２の係止孔１２ａに挿し込んで、支持部材４０をベース体１０の前面部１２に沿わせて設置する。このとき、支持部材４０の一端部４０ａが挿入孔１１から突き出て露出するようになっている。
なお、本実施形態では、ベース体１０の前面部１２の２つの係止孔１２ａのうち下側の係止孔１２ａが、カレンダー用紙２０の下に露出する位置に形成されているが、カレンダー用紙２０の後側に隠れる位置にあってもよい。こうすることで、その係止孔１２ａから飛び出る支持部材４０の他端部４０ｂをカレンダー用紙２０で隠すことができる。
【００３１】
次いで、図１に示すように、ベース体１０の前面側にあるカレンダー用紙２０を回動させ、そのカレンダー用紙２０を挿入孔１１から突き出ている支持部材４０に立て掛ける。
こうすることで、図３に示すように、２枚のカレンダー用紙２０を上下に並べて配置させることができる。特に、ベース体１０の前面部１２の傾斜角度と、支持部材４０の傾斜角度は略同じ角度になっているので、２枚のカレンダー用紙２０がほぼ同一面上に並ぶようになっている。
図３では、上段に１月のカレンダーが表示され、下段に２月のカレンダー表示されている状態を示している。
【００３２】
このように、カレンダー用紙２０の一方の面に奇数月のカレンダー（暦の情報）を印刷し、他方の面に偶数月のカレンダー（暦の情報）を印刷したものであれば、２枚のカレンダー用紙２０を上下に配置させて２か月分の暦を同時に閲覧することができる。
特に、複数枚のカレンダー用紙２０が綴じ具３０によって回動可能に綴じられているため、上下に並べて配置させた２枚のカレンダー用紙２０が重なることはない。
つまり、カレンダー用紙２０の外縁側の余白部分に記されている文字や装飾柄が隠れてしまうことはなく、その２枚のカレンダー用紙２０の全面を同時に閲覧することができる。
【００３３】
また、カレンダー用紙２０の一方の面に月の上旬のカレンダー（暦の情報）を印刷し、他方の面に月の下旬のカレンダー（暦の情報）を印刷したものであれば、図４に示すように、２枚のカレンダー用紙２０を上下に配置させて、その月の暦を閲覧することができる。
このように、ひと月のカレンダーを上旬と下旬に分けて同時に閲覧可能にしたものであれば、１日当たりのメモ欄を大きくすることができる。
【００３４】
また、カレンダー用紙２０の一方の面に美術絵画や風景写真などを印刷し、他方の面に各月のカレンダー（暦の情報）を印刷したものであれば、図５に示すように、２枚のカレンダー用紙２０を上下に配置させることで装飾性や趣向性に富んだカレンダーとすることができる。
このように、絵画や写真などとカレンダーを同時に閲覧可能にしたものであれば、ユーザーはそれぞれ好みに応じたカレンダーを選択し、卓上などに飾ることができる。
【００３５】
以上のように、本実施形態のカレンダー１００であれば、上下に並べて配置させた２枚のカレンダー用紙２０が重なることはなく、カレンダー用紙２０の外縁側の余白部分に記されている文字や装飾柄が隠れてしまうことがないので、その２枚のカレンダー用紙２０の全面を同時に閲覧することができる。
つまり、カレンダー用紙２０に記された文字などの情報が隠れて視認できなくなったり、装飾柄が隠れてデザイン性が崩れてしまったりすることがなく、このカレンダー１００を好適に卓上カレンダーとして使用することができる。
【００３６】
なお、本発明は上記実施形態に限られるものではない。
例えば、図６に示すように、ベース体１０の挿入孔１１から挿入した支持部材４０の他端部４０ｂを前面部１２の２つの係止孔１２ａのうち上側の係止孔１２ａに挿し込むようにすれば、２枚のカレンダー用紙２０を上下に並べて配置させているときでも、支持部材４０に記したマークＭを視認可能にカレンダー１００に掲げることができる。
【００３７】
また、図７に示すように、複数のカレンダー用紙２０の他辺側に、それらカレンダー用紙２０を連通する位置に壁掛け用の穴２０ａが形成されているものでもよい。
複数のカレンダー用紙２０の他辺側に壁掛け用の穴２０ａが形成されていれば、図７に示すように、その穴２０ａを利用して壁面などに取り付けられているフックＦにカレンダー１００を掛けて使用することができる。
このように壁掛けカレンダー１００として使用するときには、ベース体１０を折り畳んで、その厚さを薄くするように変形させることが好ましい。
【００３８】
なお、以上の実施の形態においては、支持部材４０は表紙２５から切り出して使用する部材であるとしたが、本発明はこれに限定されるものではなく、例えば、１ページ目の表紙２５ではなく、最終ページの裏表紙から切り出すようにしてもよい。また、支持部材４０を切り出すための台紙を任意のページに設けるようにしてもよい。
また、支持部材４０は、カレンダー１００の付録として添えられた部材であってもよい。その場合、支持部材４０は硬質紙や樹脂板からなる薄板状の部材であることに限らないので、例えば、細い棒状部材であったり、その棒状部材の上端部にマークＭの代替となるような装飾物が取り付けられたものであったりしてもよい。そして、その支持部材４０の形状に応じた形の挿入孔１１を形成すればよい。
【００３９】
また、上記実施の形態においては、２か月分のカレンダーを同時に閲覧可能にするカレンダー１００、ひと月のカレンダーを上旬と下旬に分けて同時に閲覧可能にするカレンダー１００、絵画や写真などとカレンダーを同時に閲覧可能にするカレンダー１００は、それぞれ個別のものとしたが、本発明はこれに限定されるものではない。
カレンダー用紙２０の枚数が増えて、カレンダー１００の厚みが増してしまうが、上記３タイプのカレンダーのうち、少なくとも２つのタイプのカレンダーを選択して使用できるように、各タイプのカレンダー用紙２０を併せ持ったカレンダー１００であってもよい。
【００４０】
また、その他、具体的な細部構造等についても適宜に変更可能であることは勿論である。
【符号の説明】
【００４１】
１０    ベース体
１１    挿入孔
１２    前面部
１２ａ  係止孔
１３    背面部
１４    底面部
２０    カレンダー用紙
２０ａ  壁掛け用の穴
２５    表紙
３０    綴じ具
４０    支持部材
４０ａ  一端部
４０ｂ  他端部
１００  カレンダー
Ｈ      孔
Ｍ      マーク
【図１】
0006622567.tif 000002
【図２】
0006622567.tif 000003
【図３】
0006622567.tif 000004
【図４】
0006622567.tif 000005
【図５】
0006622567.tif 000006
【図６】
0006622567.tif 000007
【図７】
0006622567.tif 000008